(57)【要約】【課題】運転入／切ボタン操作に対する情報受信ができなかった場合でも、本体から情報を入手し、取得情報を遠隔制御装置へ表示できるとともに、情報受信が出来なかった場合の再度の操作を促す情報量を増やすことができる空気調和機の遠隔制御装置を提供する。【解決手段】この発明に係る空気調和機の遠隔制御装置は、空気調和機本体の運転をオンオフする運転入／切ボタンと、再送ボタンもしくは空気調和機本体の運転停止時に使用しないボタンと、空気調和機本体と送受信を行う送受信モジュールと、を備え、空気調和機本体の運転をオンオフする運転入／切ボタンの操作により空気調和機本体の運転をオフした時に、空気調和機本体から送られる情報を当該遠隔制御装置が受信失敗した場合、再送ボタンもしくは空気調和機本体の運転停止時に使用しないボタンの押下により空気調和機本体へ向け、送受信モジュールから前記情報の再送要求信号を送信するものである。【選択図】図１
2012085067.tif 000002
【特許請求の範囲】
【請求項１】
空気調和機本体と双方向で通信を行う空気調和機の遠隔制御装置であって、
前記空気調和機本体の運転をオンオフする運転入／切ボタンと、
再送ボタンもしくは前記空気調和機本体の運転停止時に使用しないボタンと、
前記空気調和機本体と送受信を行う送受信モジュールと、を備え、
前記空気調和機本体の運転をオンオフする前記運転入／切ボタンの操作により前記空気調和機本体の運転をオフした時に、前記空気調和機本体から送られる情報を当該遠隔制御装置が受信失敗した場合、前記再送ボタンもしくは前記空気調和機本体の運転停止時に使用しないボタンの押下により前記空気調和機本体へ向け、前記送受信モジュールから前記情報の再送要求信号を送信することを特徴とする空気調和機の遠隔制御装置。
【請求項２】
空気調和機本体と双方向で通信を行う空気調和機の遠隔制御装置であって、
前記空気調和機本体の運転をオンオフする運転入／切ボタンと、
前記空気調和機本体と送受信を行う送受信モジュールと、を備え、
前記空気調和機本体の運転をオンオフする前記運転入／切ボタンの操作により前記空気調和機本体の運転をオフした時に、前記空気調和機本体から送られる情報を当該遠隔制御装置が受信失敗した場合、前記運転入／切ボタンを所定時間以上長押して、前記空気調和機本体へ向け、前記送受信モジュールから前記情報の再送要求信号を送信することを特徴とする空気調和機の遠隔制御装置。
【請求項３】
前記空気調和機本体へ向け、前記送受信モジュールから前記情報の再送要求信号を送信する場合に、送信電力をアップさせることを特徴とする請求項１又は請求項２記載の空気調和機の遠隔制御装置。
【請求項４】
前記送受信モジュールとは別の追加の送受信モジュールを１つ以上備え、前記追加の送受信モジュールから前記情報の再送要求信号を多方向へ向けて送信することを特徴とする請求項１又は請求項２記載の空気調和機の遠隔制御装置。
【請求項５】
無線により前記情報の再送要求信号を送信することを特徴とする請求項１又は請求項２記載の空気調和機の遠隔制御装置。
【請求項６】
フルドット液晶を備える表示部を備え、
前記空気調和機本体から送られる情報を当該遠隔制御装置が受信失敗した場合に、受信失敗したこと及び受信失敗したことに対する対応策を前記表示部することを特徴とする請求項１又は請求項５のいずれかに記載の空気調和機の遠隔制御装置。
【請求項７】
前記フルドット液晶は、一度に２０文字以上の文字列を表示可能なフルドット液晶であることを特徴とする請求項６記載の空気調和機の遠隔制御装置。
【発明の詳細な説明】
【技術分野】
【０００１】
この発明は、空気調和機の遠隔制御装置に関する。
【背景技術】
【０００２】
従来、空気調和機の処理する各種の情報を適切にリモコン（遠隔制御装置）に表示できる空気調和機を提供するために、リモコンと室内機本体との間で双方向通信で空気調和機の情報を送受信することの可能な空気調和機において、操作によって空気調和機の情報を要求するリクエストボタンと空気調和機の運転を停止させる停止ボタンとをリモコンに設け、リクエストボタン及び停止ボタンの操作に応答して室内機本体は空気調和機の情報を送信し、リモコンは、室内機本体から送られてきた空気調和機の情報を受信し、受信した情報をその画面上に表示する表示部を設け、リモコンは、リクエストボタンの操作に対する空気調和機の情報が受信できなかった場合は、表示部に再度の操作を促す表示を行ない、停止ボタンの操作に対する空気調和機の情報が受信できなかった場合は、表示部に再度の操作を促す表示を行なわないものとして構成される空気調和機が提案されている（例えば、特許文献１参照）。
【先行技術文献】
【特許文献】
【０００３】
【特許文献１】特開２００７−３０３８１９号公報
【発明の概要】
【発明が解決しようとする課題】
【０００４】
しかしながら、上記特許文献１記載の空気調和機は、停止ボタン操作に対する情報を受信できなかった場合には、再送操作を促さず、且つ再送する手段も持っていないため、受信した情報やその情報を利用した情報をユーザが入手できないことになり、得たい情報をユーザが取得できず、不満感が生じるという課題があった。
【０００５】
また、リクエストボタン操作に対する本体からの情報が受信できなかった場合には、再度の操作を促しているが、同じ状態で同じ操作を実施すると、リモコンが空気調和機本体へ向いていない、リモコンと空気調和機本体との間に障害物がある場合等には、再び受信できない可能性が高く、何度も再操作を促すことになり、操作性が低下しユーザに不満感が生じるという課題があった。
【０００６】
この発明は、上記のような課題を解決するためになされたもので、運転入／切ボタン操作に対する情報受信ができなかった場合でも、本体から情報を入手し、取得情報を遠隔制御装置へ表示できるとともに、情報受信が出来なかった場合の再送方法を正しく指示する、または再度の操作を促す情報量を増やすことができる空気調和機の遠隔制御装置を提供する。
【課題を解決するための手段】
【０００７】
この発明に係る空気調和機の遠隔制御装置は、空気調和機本体と双方向で通信を行う空気調和機の遠隔制御装置であって、
空気調和機本体の運転をオンオフする運転入／切ボタンと、
再送ボタンもしくは空気調和機本体の運転停止時に使用しないボタンと、
空気調和機本体と送受信を行う送受信モジュールと、を備え、
空気調和機本体の運転をオンオフする運転入／切ボタンの操作により空気調和機本体の運転をオフした時に、空気調和機本体から送られる情報を当該遠隔制御装置が受信失敗した場合、再送ボタンもしくは空気調和機本体の運転停止時に使用しないボタンの押下により空気調和機本体へ向け、送受信モジュールから前記情報の再送要求信号を送信するものである。
【発明の効果】
【０００８】
この発明に係る空気調和機の遠隔制御装置は、空気調和機本体の運転をオンオフする運転入／切ボタンの操作により空気調和機本体の運転をオフした時に、空気調和機本体から送られる情報を当該遠隔制御装置が受信失敗した場合、再送ボタンもしくは空気調和機本体の運転停止時に使用しないボタンの押下により空気調和機本体へ向け、送受信モジュールから前記情報の再送要求信号を送信するので、運転入／切ボタン操作に対する情報受信ができなかった場合でも、本体から情報を入手し、取得情報を遠隔制御装置へ表示できる
【図面の簡単な説明】
【０００９】
【図１】実施の形態１を示す図で、リモコン１００の外観正面図。
【図２】実施の形態１を示す図で、運転停止時に空気調和機本体からの情報の受信に失敗した場合に、再送ボタン５を押下して再送要求を送信する動作を示すフローチャート図。
【図３】実施の形態１を示す図で、表示部１に本体からの情報を表示する一例を示すリモコン１００の外観正面図。
【図４】実施の形態１を示す図で、運転停止時に空気調和機本体からの情報の受信に失敗したとき、表示部１に再送要求が表示されたリモコン１００の外観正面図。
【図５】実施の形態１を示す図で、再送要求送信用に送信電力をアップする仕組みを備えている送受信モジュール６を使用する場合の動作を示すフローチャート図。
【図６】実施の形態１を示す図で、変形例のリモコン２００の外観正面図。
【図７】実施の形態１を示す図で、変形例のリモコン２００を使用して運転停止時に空気調和機本体からの情報の受信に失敗した場合に、再送ボタン５を押下して再送要求を送信する動作を示すフローチャート図。
【図８】実施の形態２を示す図で、リモコン３００の外観正面図。
【図９】実施の形態２を示す図で、運転停止時に空気調和機本体からの情報の受信に失敗した場合に、再送ボタン５を押下して再送要求を送信する動作を示すフローチャート図。
【図１０】実施の形態２を示す図で、再送要求送信用に送信電力をアップする仕組みを備えている送受信モジュール６を使用する場合の動作を示すフローチャート図。
【図１１】実施の形態２を示す図で、変形例のリモコン４００の外観正面図。
【図１２】実施の形態２を示す図で、変形例のリモコン４００を使用して運転停止時に空気調和機本体からの情報の受信に失敗した場合に、再送ボタン５を押下して再送要求を送信する動作を示すフローチャート図。
【図１３】実施の形態３を示す図で、リモコン５００の外観正面図。
【図１４】実施の形態３を示す図で、運転停止時に空気調和機本体からの情報の受信に失敗した場合に、運転入／切ボタン２を１秒以上長押して再送要求を送信する動作を示すフローチャート図。
【図１５】実施の形態３を示す図で、再送要求送信用に送信電力をアップする仕組みを備えている送受信モジュール６を使用する場合の動作を示すフローチャート図。
【図１６】実施の形態３を示す図で、変形例のリモコン６００の外観正面図。
【図１７】実施の形態３を示す図で、変形例のリモコン６００を使用して運転停止時に空気調和機本体からの情報の受信に失敗した場合に、運転入／切ボタン２を１秒以上長押して再送要求信号を送信する動作を示すフローチャート図。
【発明を実施するための形態】
【００１０】
実施の形態１．
図１は実施の形態１を示す図で、リモコン１００の外観正面図である。リモコン１００（遠隔制御装置）は、以下に示す要素を備える。
（１）空気調和機本体の運転状態、リモコン１００の設定状態、及び空気調和機本体との送受信により取得した情報もしくはその情報を加工した情報を表示するための表示部１。表示部１は、シルクスクリーン液晶（表示項目が予め決まっている液晶）で構成される。
（２）空気調和機本体の運転をオンオフする運転入／切ボタン２。
（３）空気調和機本体の設定やリモコン１００の設定を変更するためのボタン群３。
ボタン群３は、運転切替ボタン（冷房、除湿、暖房を切り替えるボタン）、シーンセレクトボタン、メニューボタン、上下ボタン、戻るボタン等である。
（４）空気調和機本体からの情報を要求する信号送信するおしらせナビボタン４。
（５）空気調和機本体をオフした時に、空気調和機本体から送られてくる情報をリモコン１００が受信失敗した場合に、押下すると再送信号を送信する再送ボタン５。
（６）リモコン１００の上部に設けられ、送受信を行う送受信モジュール６。
【００１１】
図２は実施の形態１を示す図で、運転停止時に空気調和機本体からの情報の受信に失敗した場合に、再送ボタン５を押下して再送要求を送信する動作を示すフローチャート図である。図２のフローチャートを用いて、再送ボタン５の機能について説明する。図２における「本体」は、「空気調和機本体」のことである。
【００１２】
空気調和機本体（以下、単に本体と呼ぶ場合もある）の動作をリモコン１００の運転入／切ボタン２を用いて停止させる時、リモコン１００から空気調和機本体へ向け本体停止信号と同時に情報取得要求信号を送信する（ステップＳ２０１）。
【００１３】
但し、リモコン１００から空気調和機本体へ向け本体停止信号のみを送信し、空気調和機本体でリモコン１００が情報取得要求信号も要求していると判断して情報を返信することも可能である。
【００１４】
空気調和機本体側は、本体停止信号もしくは情報取得要求信号を受信した場合、リモコン１００へ向け情報を送信する。リモコン１００側では空気調和機本体からの情報を待ち（ステップＳ２０２）、情報を受信した場合は（ステップＳ２０２でＹＥＳ）、情報を表示部１へ表示し（ステップＳ２０４）、一定時間表示後情報表示を終了させる（ステップＳ２０５）。
【００１５】
空気調和機本体からの情報は、室内温度、湿度、燃費情報（金額やＣＯ２排出量等）、ナビ情報、省エネ情報（金額やＣＯ２排出量等）、故障情報、現在の運転モードや設定情報、風の情報（風速、風向等）等である。
【００１６】
表示部１は、シルクスクリーン液晶（表示項目が予め決まっている液晶）で構成されるので、空気調和機本体からの情報は、例えば、「本体情報」とか「本体からの情報」とかのシルクを上の方につけて、情報表示は温度や湿度表示の数字を利用して表示する。
【００１７】
図３は実施の形態１を示す図で、表示部１に本体からの情報を表示する一例を示すリモコン１００の外観正面図である。図３は、本体からの情報を表示部１へ表示している状態を示す一例であり、表示部１には、通常は表示されていない、「本体情報」、「温度（２８．５℃）」、「しつど（６５％）」が、一定時間表示される。
【００１８】
もし、情報を受信していない場合は（ステップＳ２０２でＮＯ）、情報取得要求信号を出してからの経過時間を確認し（ステップＳ２０３）、一定時間経過していない場合（ステップＳ２０３でＮＯ）、ステップＳ２０２の受信体制に戻る。一定時間経過した場合には（ステップＳ２０３でＹＥＳ）、表示部１に再送要求を表示し（ステップＳ２０６）、ユーザに再送を促す。
【００１９】
図４は実施の形態１を示す図で、運転停止時に空気調和機本体からの情報の受信に失敗したとき、表示部１に再送要求が表示されたリモコン１００の外観正面図である。ステップＳ２０６での表示部１への再送要求の表示は、例えば、図４に示すように、通常は表示されていない、「再送」が表示されて、ユーザに再送を促す。
【００２０】
ユーザは再送を促された場合には再送ボタン５を押下し、情報の再送要求を本体へ向け送信（ステップＳ２０７）する。その後は初めの送信と同様に受信待ちに戻る（ステップＳ２０２）。
【００２１】
このようにすることで、空気調和機本体の運転停止時に、リモコン１００が空気調和機本体からの情報の受信を失敗した場合でも、空気調和機本体へ向け再送を要求することが可能となり、情報を得たいユーザへ確実に情報を提示することが可能となる。
【００２２】
また、再送ボタン５は停止時の空気調和機本体からの情報の受信失敗時にのみ使用を制限されるものではなく、例えばおしらせナビボタン４での受信失敗時に使用しても良い。
【００２３】
更に、再送ボタン５は専用ボタンとして設ける必要はなく、空気調和機本体の運転停止時やおしらせナビの受信失敗時に使用しないボタンで代用しても良い。
【００２４】
図３の「本体表示」や図４の「再送」、本体からの受信データの情報表示等、通常は表示されない情報を表示するために、小さなフルドット液晶を使用していても良い。
【００２５】
ここで、再送ボタン５を押下して情報の再送要求を送信する場合を考える。送受信を行う送受信モジュール６は再送信用に送信電力をアップする仕組みを備えている（図示せず）。
【００２６】
図５は実施の形態１を示す図で、再送要求送信用に送信電力をアップする仕組みを備えている送受信モジュール６を使用する場合の動作を示すフローチャート図である。図５のフローチャートを用いて、再送要求送信用に送信電力をアップする仕組みを備えている送受信モジュール６を使用した場合の動作について説明する。空気調和機本体の動作をリモコン１００の運転入／切ボタン２を用いて停止させる時、リモコン１００から空気調和機本体へ向け停止信号と同時に情報取得要求信号を通常送信電力で送受信モジュール６から送信する（ステップＳ３０１）。
【００２７】
但し、リモコン１００から空気調和機本体へ向け本体停止信号のみを送信し、空気調和機本体でリモコン１００が情報取得要求信号も要求していると判断して情報を返信することも可能である。
【００２８】
空気調和機本体側は情報取得要求信号を受信した場合、リモコン１００へ向け情報を送信する。リモコン１００側では、空気調和機本体からの情報を待ち（ステップＳ３０２）、情報を受信した場合は（ステップＳ３０２のＹＥＳ）、情報を表示部１へ表示し（ステップＳ３０４）、一定時間表示後情報表示を終了させる（ステップＳ３０５）。
【００２９】
もし、情報を受信していない場合は（ステップＳ３０２のＮＯ）、情報取得要求信号を出してからの経過時間を確認し（ステップＳ３０３）、一定時間経過していない場合（ステップＳ３０３のＮＯ）、ステップＳ３０２の受信体制に戻る。一定時間経過した場合には（ステップＳ３０３のＹＥＳ）、表示部１に再送要求を表示し（ステップＳ３０６）、ユーザに再送を促す。ユーザは再送を促された場合には、再送ボタン５を押下する（ステップＳ３０７）。再送ボタン５を押下された場合には、送受信モジュール６の中の送信電力をアップする仕組みを使用し、送信電力をアップした再送要求信号を本体へ向け送信する（ステップＳ３０８）。その後は初めの送信と同様に受信待ちに戻る（ステップＳ３０２）。
【００３０】
このようにすることで、運転停止時にリモコン１００が空気調和機本体からの情報の受信を失敗した場合に、空気調和機本体へ向けての再送要求信号の送信電力をアップすることが可能となる。それにより空気調和機本体との距離が遠いことで送受信に失敗していた通信が成功する可能性が上がることになり、情報を得たいユーザへ情報を提示できる可能性が上がる。
【００３１】
なお、送信電力をアップさせるとリモコン１００の電池寿命が低下するため、送信電力をアップさせるのは、空気調和機本体へ向けての再送要求信号の送信時のみとする。
【００３２】
また、再送ボタン５での送信電力アップは、空気調和機本体の運転停止時の空気調和機本体からの情報の受信失敗時にのみ使用を制限されるものではなく、例えばおしらせナビボタン４での受信失敗時に使用しても良い。
【００３３】
更に、再送ボタン５は専用ボタンとして設ける必要はなく、停止時やおしらせナビの受信失敗時に使用しないボタンで代用しても良い。
【００３４】
図５のフローでは、送受信を行う送受信モジュール６が、再送要求信号送信用の送信電力をアップする仕組みを備えていたが、送信電力をアップする仕組みの変わりに無線モジュールを用いる方法もある。
【００３５】
無線モジュールを用いることで、空気調和機本体の運転停止時にリモコン１００が、空気調和機本体からの情報の受信を失敗した場合に、空気調和機本体へ向けての再送要求信号の送信を無線で行うことが可能となり、リモコン１００と空気調和機本体との間に障害物があったために送受信に失敗していた通信が成功する可能性が上がることになり、情報を得たいユーザへ情報を提示できる可能性が上がる。
【００３６】
なお、無線通信を利用するとリモコン１００の電池寿命が低下するため、無線を利用するのは再送要求信号の送信時のみとする。
【００３７】
また、再送ボタン５での無線モジュールの使用は、空気調和機本体の運転停止時の空気調和機本体からの情報の受信失敗時にのみ使用を制限されるものではなく、例えばおしらせナビボタン４での受信失敗時に使用しても良い。
【００３８】
更に、再送ボタン５は専用ボタンとして設ける必要はなく、停止時やおしらせナビの受信失敗時に使用しないボタンで代用しても良い。
【００３９】
図６は実施の形態１を示す図で、変形例のリモコン２００の外観正面図である。変形例のリモコン２００は、図１に示したリモコン１００に追加の送受信モジュール７が、３箇所（左右、下部）に追加されている。変形例のリモコン２００のその他の構成は、リモコン１００と同じである。但し、追加の送受信モジュール７は、１つ以上あればよい。
【００４０】
図７は実施の形態１を示す図で、変形例のリモコン２００を使用して運転停止時に空気調和機本体からの情報の受信に失敗した場合に、再送ボタン５を押下して再送要求を送信する動作を示すフローチャート図である。
【００４１】
変形例のリモコン２００を使用して運転停止時に空気調和機本体からの情報の受信に失敗した場合に、再送ボタン５を押下して再送要求を送信する動作は、図３の送信電力をアップする仕組みを備えている送受信モジュール６を使用する場合の動作とステップＳ４０８以外は同じである。
【００４２】
ステップＳ４０７において再送ボタン５を押された場合に、追加の送受信モジュール７から多方向（ここでは、３方向）に向けて再送要求信号を送信する。
【００４３】
このようにすることで、運転停止時にリモコン２００が空気調和機本体からの情報の受信を失敗した場合に、空気調和機本体へ向けての再送要求信号を多方向へ送信することが可能となる。それにより、空気調和機本体が送受信モジュール６の直線方向に無いことで送受信に失敗していた通信が成功する可能性が上がることになり、空気調和機本体からの情報を得たいユーザへ情報を提示できる可能性が上がる。
【００４４】
尚、送受信モジュールを増やすと電池寿命が低下するため、送受信モジュールを増やすのは再送時のみとする。
【００４５】
図６には３つの追加の送受信モジュール７を設けているが、３つで無くとも良く、また図６のような位置でなくとも良く、１つ以上の追加の送受信モジュール７が、リモコン２００に追加されていれば、同じ効果が得られる。また、追加の送受信モジュール７と同時に送受信モジュール６を使用しても良い。
【００４６】
また、追加の送受信モジュール７での多方向送信は停止時の受信失敗時にのみ使用を制限されるものではなく、例えばおしらせナビボタン４での受信失敗時に使用しても良い。
【００４７】
更に、再送ボタン５は専用ボタンとしてを設ける必要はなく、停止時やおしらせナビボタン４の受信失敗時に使用しないボタンで代用しても良い。
【００４８】
実施の形態２．
図８は実施の形態２を示す図で、リモコン３００の外観正面図である。リモコン３００（遠隔制御装置）は、以下に示す要素を備える。
（１）一度に２０文字以上の文字列が表示可能なフルドット液晶であり、空気調和機本体の運転状態、リモコン３００の設定状態、及び空気調和機本体との送受信により取得した情報もしくはその情報を加工した情報を表示するための表示部１ａ。
（２）空気調和機本体の運転をオンオフする運転入／切ボタン２。
（３）空気調和機本体の設定やリモコン３００の設定を変更するためのボタン群３。
ボタン群３は、運転切替ボタン（冷房、除湿、暖房を切り替えるボタン）、シーンセレクトボタン、メニューボタン、上下ボタン、戻るボタン等である。
（４）空気調和機本体からの情報を要求する信号送信するおしらせナビボタン４。
（５）空気調和機本体をオフした時に、空気調和機本体から送られてくる情報をリモコン３００が受信失敗した場合に、押下すると再送信号を送信する再送ボタン５。
（６）リモコン３００の上部に設けられ、送受信を行う送受信モジュール６。
【００４９】
図９は実施の形態２を示す図で、運転停止時に空気調和機本体からの情報の受信に失敗した場合に、再送ボタン５を押下して再送要求を送信する動作を示すフローチャート図である。図９に示す動作は、ステップＳ５０６以外は実施の形態１の図２の動作と同じである。
【００５０】
ステップＳ５０６で、表示部１ａに表示する内容としては、少なくともリモコン３００が受信失敗していることとそれに対する対応策を表示させる。例えば、「受信失敗しました。リモコンを本体に向け再送ボタンを押して下さい。」等を表示させる（図８参照）。
【００５１】
受信失敗したことは上記のように直接的に知らせても良いし、「情報受信のためには」等間接的に説明することも可能である。
【００５２】
また、対応策も「リモコンと本体との間の距離が長い場合には、本体に近づいて再送ボタンを押して下さい」や「リモコンと本体との間に障害物がある場合には、障害物を避けて再送ボタンを押して下さい」や「本体から受信した音が確認されるまで近づいて再送ボタンを押して下さい」等のアドバイスを記載することも可能である。
【００５３】
表示部１ａはフルドット液晶を使用しているため、文言を変更することが可能であるので、状況に合わせ文言を変更することが可能である。そのため、状況にあったアドバイスを表示することが可能である。
【００５４】
また、一度に表示できる文字数が増えれば増えるほどユーザに対して詳しいアドバイスを表示することが可能となるが、受信失敗していることとそれに対する対応策を同時に表示させ、且つユーザが理解できる文言とするには少なくとも一度に２０文字以上の表示が可能なフルドット液晶が必要である。
【００５５】
尚、フルドット液晶を使用している表示部１ａは、全角文字１文字のドット数が縦横１４ｄｏｔ以上であり、また、全角文字が２０文字以上表示可能なものである。
【００５６】
このようにすることで、運転停止時にリモコン３００が受信失敗した場合に、ユーザに向け、受信が失敗したこと、どのようにすれば対応可能であるか、といった情報を提示可能となるため、情報を得たいユーザが現状を把握し、且つ対応策を実施することが可能となり、操作性が向上し、且つ情報を取得できる可能性が上がる。
【００５７】
また、表示部１ａに情報を表示するのは、停止時の受信失敗時にのみ使用を制限されるものではなく、例えばおしらせナビボタン４での受信失敗時に使用しても良い。その場合、フルドット液晶を用いているため、アドバイスの内容を停止時の受信失敗とおしらせナビボタンでの受信失敗とで異なる内容とすることも可能である。
【００５８】
更に、再送ボタン５は専用ボタンとして設ける必要はなく、停止時やおしらせナビの受信失敗時に使用しないボタンで代用しても良い。
【００５９】
図１０は実施の形態２を示す図で、再送要求送信用に送信電力をアップする仕組みを備えている送受信モジュール６を使用する場合の動作を示すフローチャート図である。図９のフローと異なる点は、ステップＳ６０７、ステップＳ６０８である。ステップＳ６０７で再送ボタン５が押下された場合には、送受信モジュール６の中の送信電力をアップする仕組み（図示せず）を使用し、送信電力をアップした再送要求信号を本体へ向け送信する（ステップＳ６０８）。その後は初めの送信と同様に受信待ちに戻る（ステップＳ６０２）。
【００６０】
このようにすることで、運転停止時にリモコン３００が空気調和機本体からの情報の受信を失敗した場合に、空気調和機本体へ向けての再送要求信号の送信電力をアップすることが可能となる。それにより空気調和機本体との距離が遠いことで送受信に失敗していた通信が成功する可能性が上がることになり、情報を得たいユーザへ情報を提示できる可能性が上がる。
【００６１】
なお、送信電力をアップさせるとリモコン３００の電池寿命が低下するため、送信電力をアップさせるのは、空気調和機本体へ向けての再送要求信号の送信時のみとする。
【００６２】
図１０のフローでは、送受信を行う送受信モジュール６が、再送要求信号送信用の送信電力をアップする仕組みを備えていたが、送信電力をアップする仕組みの変わりに無線モジュールを用いる方法もある。
【００６３】
無線モジュールを用いることで、空気調和機本体の運転停止時にリモコン３００が、空気調和機本体からの情報の受信を失敗した場合に、空気調和機本体へ向けての再送要求信号の送信を無線で行うことが可能となり、リモコン３００と空気調和機本体との間に障害物があったために送受信に失敗していた通信が成功する可能性が上がることになり、情報を得たいユーザへ情報を提示できる可能性が上がる。
【００６４】
なお、無線通信を利用するとリモコン３００の電池寿命が低下するため、無線を利用するのは再送要求信号の送信時のみとする。
【００６５】
図１１は実施の形態２を示す図で、変形例のリモコン４００の外観正面図である。変形例のリモコン４００は、図８に示したリモコン３００に追加の送受信モジュール７が、３箇所（左右、下部）に追加されている。変形例のリモコン４００のその他の構成は、リモコン３００と同じである。追加の送受信モジュール７は、１つ以上あればよい。
【００６６】
図１２は実施の形態２を示す図で、変形例のリモコン４００を使用して運転停止時に空気調和機本体からの情報の受信に失敗した場合に、再送ボタン５を押下して再送要求を送信する動作を示すフローチャート図である。
【００６７】
変形例のリモコン４００を使用して運転停止時に空気調和機本体からの情報の受信に失敗した場合に、再送ボタン５を押下して再送要求を送信する動作は、図１０の送信電力をアップする仕組みを備えている送受信モジュール６を使用する場合の動作とステップＳ７０８以外は同じである。
【００６８】
ステップＳ７０７において再送ボタン５を押された場合に、追加の送受信モジュール７から多方向（ここでは、３方向）に向けて再送要求信号を送信する。
【００６９】
このようにすることで、運転停止時にリモコン４００が空気調和機本体からの情報の受信を失敗した場合に、空気調和機本体へ向けての再送要求信号を多方向へ送信することが可能となる。それにより、空気調和機本体が送受信モジュール６の直線方向に無いことで送受信に失敗していた通信が成功する可能性が上がることになり、空気調和機本体からの情報を得たいユーザへ情報を提示できる可能性が上がる。
【００７０】
尚、送受信モジュールを増やすと電池寿命が低下するため、送受信モジュールを増やすのは再送時のみとする。
【００７１】
図１１には３つの追加の送受信モジュール７を設けているが、３つで無くとも良く、また図１１のような位置でなくとも良く、１つ以上の追加の送受信モジュール７が、リモコン２００に追加されていれば、同じ効果が得られる。また、追加の送受信モジュール７と同時に送受信モジュール６を使用しても良い。
【００７２】
実施の形態３．
図１３は実施の形態３を示す図で、リモコン５００の外観正面図である。リモコン５００（遠隔制御装置）は、以下に示す要素を備える。
（１）一度に２０文字以上の文字列が表示可能なフルドット液晶であり、空気調和機本体の運転状態、リモコン５００の設定状態、及び空気調和機本体との送受信により取得した情報もしくはその情報を加工した情報を表示するための表示部１ａ。但し、実施の形態１と同様に、シルクスクリーン液晶（表示項目が予め決まっている液晶）で構成される表示部１でもよい。
（２）空気調和機本体の運転をオンオフするとともに、１秒以上長押しすると再送要求信号を送信する運転入／切ボタン２。
（３）空気調和機本体の設定やリモコン５００の設定を変更するためのボタン群３。
ボタン群３は、運転切替ボタン（冷房、除湿、暖房を切り替えるボタン）、シーンセレクトボタン、メニューボタン、上下ボタン、戻るボタン、決定ボタン等である。
（４）空気調和機本体からの情報を要求する信号送信するおしらせナビボタン４。
（５）リモコン５００の上部に設けられ、送受信を行う送受信モジュール６。
【００７３】
図１４は実施の形態３を示す図で、運転停止時に空気調和機本体からの情報の受信に失敗した場合に、運転入／切ボタン２を１秒以上長押して再送要求を送信する動作を示すフローチャート図である。図１４に示す動作は、ステップＳ８０７以外は図９の動作と同じである。
【００７４】
図９の場合は、ステップＳ５０７で、再送ボタン５を押下して再送要求信号を空気調和機本体へ向けて送信したが、本実施の形態では、ステップＳ８０７で、ユーザはリモコン５００の運転入／切ボタン２を１秒以上長押して再送要求信号を空気調和機本体へ送信する。
【００７５】
表示部１ａに表示する内容としては、少なくともリモコン４０が受信失敗していることとそれに対する対応策を表示させる。例えば、「受信失敗しました。リモコンを本体に向け運転入／切ボタンを１秒以上長押しして下さい。」等を表示させる。
【００７６】
受信失敗したことは上記のように直接的に知らせても良いし、「情報受信のためには」等間接的に説明することも可能である。
【００７７】
また、対応策も「リモコンと本体との間の距離が長い場合には、本体に近づいてから運転入／切ボタンを１秒以上長押しして下さい」や「リモコンと本体との間に障害物がある場合には、障害物を避けて運転入／切ボタンを１秒以上長押しして下さい」等のアドバイスを記載することも可能である。
【００７８】
表示部１ａはフルドット液晶を使用しているため、文言を変更することが可能であるので、状況に合わせ文言を変更することが可能である。そのため、状況にあったアドバイスを表示することが可能である。また、一度に表示できる文字数が増えれば増えるほどユーザに対して詳しいアドバイスを表示することが可能となるが、受信失敗していることとそれに対する対応策を同時に表示させ、且つユーザが理解できる文言とするには少なくとも一度に２０文字以上の表示が可能なフルドット液晶が必要である。尚、フルドット液晶を使用している表示部１ａは、全角文字１文字のドット数が縦横１４ｄｏｔ以上であり、また、全角文字が２０文字以上表示可能なものである。
【００７９】
このようにすることで、運転停止時にリモコン４００が受信失敗した場合に、ユーザに向け、受信が失敗したこと、どのようにすれば対応可能であるか、といった情報を提示可能となるため、情報を得たいユーザが現状を把握し、且つ対応策を実施することが可能となり、操作性が向上し、且つ情報を取得できる可能性が上がる。
【００８０】
また、表示部１ａに情報を表示するのは、停止時の受信失敗時にのみ使用を制限されるものではなく、例えばおしらせナビボタン４での受信失敗時に使用しても良い。その場合、フルドット液晶を用いているため、アドバイスの内容を停止時の受信失敗とおしらせナビボタン４での受信失敗とで異なる内容とすることも可能である。
【００８１】
また、対応策として、運転入／切ボタン２の１秒以上の長押しを例として提示したが、他の方法として、他のボタンの長押しや、２つ以上のボタンの同時押し、「表示の数字が０になるまでに運転入／切ボタンを押下する」といった時間による対応策も考えられ、これらのどの方法をとっても同じ効果が得られる。
【００８２】
尚、固定文字の表示で良い場合には、シルクスクリーン液晶を使用しても良く、その場合でも同じ効果が得られる。
【００８３】
図１５は実施の形態３を示す図で、再送要求送信用に送信電力をアップする仕組みを備えている送受信モジュール６を使用する場合の動作を示すフローチャート図である。図１４のフローと異なる点は、ステップＳ８０７、ステップＳ８０８である。ステップＳ８０７で、運転入／切ボタン２の１秒以上の長押しされた場合には、送受信モジュール６の中の送信電力をアップする仕組み（図示せず）を使用し、送信電力をアップした再送要求信号を本体へ向け送信する（ステップＳ８０８）。その後は初めの送信と同様に受信待ちに戻る（ステップＳ８０２）。
【００８４】
このようにすることで、運転停止時にリモコン５００が空気調和機本体からの情報の受信を失敗した場合に、空気調和機本体へ向けての再送要求信号の送信電力をアップすることが可能となる。それにより空気調和機本体との距離が遠いことで送受信に失敗していた通信が成功する可能性が上がることになり、情報を得たいユーザへ情報を提示できる可能性が上がる。
【００８５】
なお、送信電力をアップさせるとリモコン５００の電池寿命が低下するため、送信電力をアップさせるのは、空気調和機本体へ向けての再送要求信号の送信時のみとする。
【００８６】
また、再送ボタン５での送信電力アップは、空気調和機本体の運転停止時の空気調和機本体からの情報の受信失敗時にのみ使用を制限されるものではなく、例えばおしらせナビボタン４での受信失敗時に使用しても良い。
【００８７】
図１５のフローでは、送受信を行う送受信モジュール６が、再送要求信号送信用の送信電力をアップする仕組みを備えていたが、送信電力をアップする仕組みの変わりに無線モジュールを用いる方法もある。
【００８８】
無線モジュールを用いることで、空気調和機本体の運転停止時にリモコン５００が、空気調和機本体からの情報の受信を失敗した場合に、空気調和機本体へ向けての再送要求信号の送信を無線で行うことが可能となり、リモコン５００と空気調和機本体との間に障害物があったために送受信に失敗していた通信が成功する可能性が上がることになり、情報を得たいユーザへ情報を提示できる可能性が上がる。
【００８９】
なお、無線通信を利用するとリモコン５００の電池寿命が低下するため、無線を利用するのは再送要求信号の送信時のみとする。
【００９０】
また、再送ボタン５での無線モジュールの使用は、空気調和機本体の運転停止時の空気調和機本体からの情報の受信失敗時にのみ使用を制限されるものではなく、例えばおしらせナビボタン４での受信失敗時に使用しても良い。
【００９１】
図１６は実施の形態３を示す図で、変形例のリモコン６００の外観正面図である。変形例のリモコン６００は、図１３に示したリモコン５００に追加の送受信モジュール７が、３箇所（左右、下部）に追加されている。変形例のリモコン６００のその他の構成は、リモコン４００と同じである。追加の送受信モジュール７は、１つ以上あればよい。
【００９２】
図１７は実施の形態３を示す図で、変形例のリモコン６００を使用して運転停止時に空気調和機本体からの情報の受信に失敗した場合に、運転入／切ボタン２を１秒以上長押して再送要求信号を送信する動作を示すフローチャート図である。
【００９３】
変形例のリモコン６００を使用して運転停止時に空気調和機本体からの情報の受信に失敗した場合に、運転入／切ボタン２を１秒以上長押して再送要求信号を送信する動作は、図１５の送信電力をアップする仕組みを備えている送受信モジュール６を使用する場合の動作とステップＳ９０８以外は同じである。
【００９４】
ステップＳ９０７において、運転入／切ボタン２が１秒以上長押しされた場合は、追加の送受信モジュール７から多方向（ここでは、３方向）に向けて再送要求信号を送信する。
【００９５】
このようにすることで、運転停止時にリモコン６００が空気調和機本体からの情報の受信を失敗した場合に、空気調和機本体へ向けての再送要求信号を多方向へ送信することが可能となる。それにより、空気調和機本体が送受信モジュール６の直線方向に無いことで送受信に失敗していた通信が成功する可能性が上がることになり、空気調和機本体からの情報を得たいユーザへ情報を提示できる可能性が上がる。
【００９６】
尚、送受信モジュールを増やすと電池寿命が低下するため、送受信モジュールを増やすのは再送時のみとする。
【００９７】
図１６には３つの追加の送受信モジュール７を設けているが、３つで無くとも良く、また図１６のような位置でなくとも良く、１つ以上の追加の送受信モジュール７が、リモコン２００に追加されていれば、同じ効果が得られる。また、追加の送受信モジュール７と同時に送受信モジュール６を使用しても良い。
【００９８】
また、追加の送受信モジュール７での多方向送信は停止時の受信失敗時にのみ使用を制限されるものではなく、例えばおしらせナビボタン４での受信失敗時に使用しても良い。
【符号の説明】
【００９９】
１  表示部、１ａ  表示部、２  運転入／切ボタン、３  ボタン群、４  おしらせナビボタン、５  再送ボタン、６  送受信モジュール、７  追加の送受信モジュール、１００  リモコン、２００  リモコン、３００  リモコン、４００  リモコン、５００  リモコン、６００  リモコン。
【図１】
2012085067.tif 000003
【図２】
2012085067.tif 000004
【図３】
2012085067.tif 000005
【図４】
2012085067.tif 000006
【図５】
2012085067.tif 000007
【図６】
2012085067.tif 000008
【図７】
2012085067.tif 000009
【図８】
2012085067.tif 000010
【図９】
2012085067.tif 000011
【図１０】
2012085067.tif 000012
【図１１】
2012085067.tif 000013
【図１２】
2012085067.tif 000014
【図１３】
2012085067.tif 000015
【図１４】
2012085067.tif 000016
【図１５】
2012085067.tif 000017
【図１６】
2012085067.tif 000018
【図１７】
2012085067.tif 000019